(57)【要約】【課題】  多量の雨水が勢い良く流入してもエルボ本体と竪樋接続部との嵌合部から雨水が漏れることなく、雨水の排出をスムーズに行うことができる樋エルボを提供する。【解決手段】  樋エルボ１は、曲げ管状のエルボ本体２と、エルボ本体２の下部と回転自在に嵌合する竪樋接続部３を有する。エルボ本体２の下流側端部は鉛直方向を向いた縦管部５に形成され、竪樋接続部３は竪樋との接続のための位置決め用の凹設部１６を有する。エルボ本体２の縦管部５のエルボ入口より遠い側の内壁面側に、内壁面から凹設部１６の凹設距離以上離間した位置に整流板１８を鉛直方向に設ける。【選択図】図１
2006090062.tif 000002
【特許請求の範囲】
【請求項１】
曲げ管状のエルボ本体と、エルボ本体の下部と回転自在に嵌合する竪樋接続部を有し、エルボ本体の下流側端部が鉛直方向を向いた縦管部に形成され、竪樋接続部は竪樋との接続のための位置決め用の凹設部を有する樋エルボにおいて、
エルボ本体の縦管部のエルボ入口より遠い側の内壁面側の、内壁面から凹設部の凹設距離以上離間した位置に整流板を鉛直方向に設けたことを特徴とする樋エルボ。
【請求項２】
整流板が平板状であることを特徴とする請求項１記載の樋エルボ。
【請求項３】
エルボ本体の縦管部が円管状であり、整流板が、円管状の縦管部と同心状の円管の少なくとも半周以上にわたった部分を主体部として有し、かつ少なくともその両側部において縦管部と連結されていることを特徴とする請求項１記載の樋エルボ。
【発明の詳細な説明】
【技術分野】
【０００１】
本発明は、曲げ管状のエルボ本体と、これと回転自在に嵌合する竪樋接続部を有する樋エルボに関するものである。
【背景技術】
【０００２】
従来より、一般住宅等において、呼び樋や這い樋等の横方向に雨水を流す横樋の下流側端部と、鉛直方向に雨水を落下させる竪樋の上流側端部とを接続させる樋エルボが知られている。樋エルボには様々な構造のものが提案、上市されている。これらの樋エルボの中で、いわゆる回転式樋エルボと称されるものがある（特許文献１、２）。この回転式樋エルボは、通常、流体を鉛直方向に導く縦管部を有する曲げ管状のエルボ本体と、接続すべき竪樋との位置決め用の凹設部が形成され、エルボ本体の下部と回転可能に嵌合する竪樋接続部を備えた構造を有している。このような構造をもつ回転式樋エルボは、竪樋接続部が回転自在なことから樋の施工が容易となり、広範に使用されている。
【０００３】
一方、樋エルボでは、大量の雨水が注ぎ込まれた場合、曲がり部分で水流が乱れて、跳ね上がったり、流れが滞ったりすることがある。そのため、雨水がスムーズに排水されることを目的として、雨水の流れに沿って整流板を設ける提案がなされている（特許文献３、４）。
【特許文献１】実公昭５０−２９１３３号公報
【特許文献２】特開平７−１２７２０３号公報
【特許文献３】実開平５−３２５５２号公報
【特許文献４】特開平７−１１３３０１号公報
【発明の開示】
【発明が解決しようとする課題】
【０００４】
しかしながら、特許文献１、２のような従来の回転式樋エルボにおいては、エルボ本体と竪樋接続部が嵌合という簡便な方法で取り付けられていたので、多量の雨水が勢い良く樋エルボの曲がり部分に流入すると、エルボ本体と竪樋接続部の嵌合部に雨水の一部が強い力をもって直接当たり、その嵌合部から雨水が漏れてしまうことがあった。
【０００５】
また、特許文献３、４のように整流板を設けた樋エルボにおいても、曲げ管部における流れの乱れは解消されるものの、エルボ本体と竪樋接続部が嵌合という簡便な方法で取り付けられた構造のものに適用した場合は、嵌合部からの雨水の漏れの防止というさらに改善すべき余地は残されていた。
【０００６】
そこで、本願発明は、以上のとおりの事情に鑑みてなされたもので、多量の雨水が勢い良く流入してもエルボ本体と竪樋接続部との嵌合部から雨水が漏れることなく、雨水の排出をスムーズに行うことができる樋エルボを提供することを課題とする。
【課題を解決するための手段】
【０００７】
本発明によれば、上記課題を解決するため、第１には、曲げ管状のエルボ本体と、エルボ本体の下部と回転自在に嵌合する竪樋接続部を有し、エルボ本体の下流側端部が鉛直方向を向いた縦管部に形成され、竪樋接続部は竪樋との接続のための位置決め用の凹設部を有する樋エルボにおいて、エルボ本体の縦管部のエルボ入口より遠い側の内壁面側の、内壁面から凹設部の凹設距離以上離間した位置に整流板を鉛直方向に設けたことを特徴とする樋エルボを提供する。
【０００８】
また、第２には、上記第１の発明において、整流板が平板状であることを特徴とする樋エルボを提供する。
【０００９】
さらに、第３には、上記第１の発明において、エルボ本体の縦管部が円管状であり、整流板が、円管状の縦管部と同心状の円管の少なくとも半円周以上にわたった部分を主体部として有し、かつ少なくともその両側部において縦管部と連結されていることを特徴とする樋エルボを提供する。
【発明の効果】
【００１０】
請求項１の発明によれば、多量の雨水が勢い良くエルボの曲がり部分に流入しても、エルボ本体と竪樋接続部との嵌合部に向かおうとする雨水のほとんどは整流板にあたって落下し、嵌合部には直接に当ることがなくなるため、嵌合部からの水漏れを効果的に防止することができる。また、整流板とエルボ本体の内壁面との間に空間が形成され、整流作用を発揮するので、雨水の流量を確保することができ、スムーズな排水ができるようになる。
【００１１】
請求項２の発明によれば、整流板を平板状のものとしたので、非常にシンプルな構成で請求項１の発明の効果を得ることができる。
【００１２】
請求項３の発明によれば、竪樋接続部を回転させても、整流板がなければ水漏れしそうな嵌合部の領域が幅広くカバーされているので、上記効果に加えて、施工の自由度がより大きくなる利点がある。
【発明を実施するための最良の形態】
【００１３】
本願発明は上記のとおりの特徴をもつものであるが、以下にその実施の形態について説明する。
【００１４】
図１は、本願発明による樋エルボの一実施形態を示す側断面図、図２（ａ）、（ｂ）は、同上一実施形態におけるエルボ本体を示す側断面図及びエルボ本体の縦管部の底面図、図３（ａ）、（ｂ）は、同上一実施形態における竪樋接続部の平面図及び一部切欠正面図である。
【００１５】
本実施形態の樋エルボ１は、エルボ本体２と竪樋接続部３より構成され、断面略四角形枠状の角型横樋（図示せず）の下流側端部と、同じく断面略四角形枠状の角型竪樋（図示せず）の上流側端部を接続するものである。樋エルボ１を構成する材料としては、従来から樋エルボに使用されている塩化ビニル樹脂等の各種樹脂材料やステンレス鋼等の各種金属材料等を用途、使用場所等に応じて選択して使用することができる。
【００１６】
エルボ本体２は、図１及び図２（ａ）に示すように、直角よりやや角度が大きい鈍角に屈曲させた曲げ管状となっており、コーナー部４と、コーナー部４の下流側の縦管部５と、コーナー部４の上流側の横管部６からなる。なお、本願明細書において、「曲げ管」とは、屈曲管（角部を有する管）及び湾曲管（なだらかに連続して曲がっている管）の両方を包含する。
【００１７】
エルボ本体２の上流側の横管部６の上流側端部には略四角形状の開口７を有し、断面略四角形枠状の上流側接続口部８が形成されている。また、エルボ本体２の下流側の縦管部５は円形開口9を有する円管状となっている。
【００１８】
竪樋接続部３の上流側端部には縦管部５の下流側形状と相補的な円形開口１０が形成され、上流側内部は扁平な円筒状空間１１となっている。また、竪樋接続部３の下流側端部には略四角形状の開口１２を有し、断面略四角形枠状の下流側接続口部１３が形成されている。
【００１９】
エルボ本体２の下流側の縦管部５には竪樋接続部３との嵌合のための嵌合突起１４が形成されており、竪樋接続部３の円形開口１０に嵌め込むことにより、竪樋接続部３が回転自在に嵌合されるようになっている。
【００２０】
竪樋接続部３の外周面には竪樋との接続のための凹溝１５が形成されている。また、竪樋接続部３の断面略四角形枠状の部分における対向する２つの面の中央付近には、竪樋との接続の際の位置決めのための凹設部１６が鉛直方向に形成されている。
【００２１】
一方、エルボ本体２の縦管部５において、開口７より遠い側の内壁面側には、内壁面のＡで示される位置から凹設部１６の凹設距離と等しい位置か、またはそれより離れた位置に、平板状の整流板１８が鉛直方向に設置されている。この整流板１８はエルボ本体と一体に形成されていてもよい。すなわち、図１に示すように、整流板１８と内壁面のＡの位置との距離をａ、凹設部１６の凹設距離をｂとすると、ａ≧ｂとなるように整流板１８を設置する。ただし、距離ａは、整流作用を円滑に行うことができる範囲の値となるようにする。
【００２２】
なお、エルボ本体２の横管部６の両側壁の中央付近には横樋との接続のための凹設部１７が設けられている。
【００２３】
上記のような構造の樋エルボ１によれば、図１の矢印で示すように、横管部６から勢い良く流れてきた雨水はエルボ本体２と竪樋接続部３との嵌合部Ｐに向かうが、その手前に整流板１８が設けてあるために、直接嵌合部Ｐには当らず、雨水のほとんどは整流板１８に当たって落下し、一部は整流板１８を越して整流板１８と内壁面との間に流れるが、その流れは弱められ、嵌合部Ｐに加わる力は非常に弱いものとなる。従って、嵌合部Ｐからの水漏れが効果的に防止される。また、整流板１８の整流作用により、水流の乱れが防止されるとともに流量の確保ができ、雨水のスムーズの排出が可能となる。
【００２４】
次に、本願発明による樋エルボの別の実施形態について述べる。
【００２５】
図４（ａ）、（ｂ）は、それぞれ別の実施形態におけるエルボ本体を示す側断面図及びエルボ本体の縦管部の底面図である。竪樋接続部は図３に示すものと同じであるので図示を省略する。
【００２６】
本実施形態のエルボ本体２’の構造は、整流板１９以外は図２に示すものと同様であるので同じ構成要素には同一の符号を付してある。
【００２７】
本実施形態の整流板１９は、鉛直方向の長さは図１の整流板１８と同様であるが、その形状は整流板本体部１９Ａが円筒状の縦管部５と同心状の円管を半分にした形状となっている。また整流板本体部１９Ａの両側と中央は、連結部１９Ｂ、１９Ｃ、１９Ｄにより縦管部５に連結され、縦管部５の内周壁と整流板本体部１９Ａとの間の距離は、図１〜図３に示した実施形態のものと同様に、竪樋接続部３の凹設部１６の凹設距離と等しいか、またはそれより大きな距離としてある。もちろん、その距離は、横管部６から勢い良く流れてきた雨水がエルボ本体２’と竪樋接続部３との嵌合部Ｐに直接当らず、かつ整流作用が適切になされる距離とする。
【００２８】
このような構造のエルボ本体２’を備えた樋エルボ１によれば、竪樋接続部３を回転させても、整流板１９がなければ水漏れしそうな嵌合部の領域が幅広くカバーされているので、図１〜図３の実施形態の効果に加えて、施工の自由度がより大きくなる利点がある。なお、整流板１９の本体部１９Ａの形状は、図４では鉛管の半円周としたが、それ以上のものとしてもよい。
【００２９】
次に、本願発明による樋エルボのさらに別の実施形態について述べる。
【００３０】
図５（ａ）、（ｂ）は、それぞれさらに別の実施形態におけるエルボ本体を示す側断面図及びエルボ本体の縦管部の底面図である。竪樋接続部は図３に示すものと同じであるので図示を省略する。
【００３１】
本実施形態のエルボ本体２”の構造は、整流板２０以外は図２に示すものと同様であるので同じ構成要素には同一の符号を付してある。
【００３２】
本実施形態の整流板２０は図４の実施形態の整流板１９と同様の構造であるが、整流板本体部２０Ａがエルボ本体２”から下方に延設されている点が異なっている。図４の実施形態と同様、整流板本体部２０Ａの両側と中央は、連結部２０Ｂ、２０Ｃ、２０Ｄにより縦管部５に連結されている。縦管部５の内周壁と整流板本体部２０Ａとの間の距離も図４の実施形態における距離と同様に設定されている。
【００３３】
このような構造のエルボ本体２”を備えた樋エルボ１によれば、整流板２０がなければ水漏れしそうな嵌合部の領域が鉛直方向にも広くカバーされているので、図４の実施形態の効果に加えて、エルボ本体２”と竪樋接続部３との嵌合部Ｐに雨水が当る量をより一層少なくすることができ、水漏れ防止効果と整流作用をより一層すぐれたものとすることができる。
【００３４】
上記実施形態では、角型横樋及び角型竪樋の接続に用いる樋エルボについて述べたが、本願発明では、横樋及び竪樋の形状は、円形横樋及び円形竪樋等、様々な形状のものであってよい。
【００３５】
また、本願発明は以上の実施形態に限定されるものではなく、細部については様々な態様が可能である。
【図面の簡単な説明】
【００３６】
【図１】本願発明による樋エルボの一実施形態を示す側断面図である。
【図２】（ａ）、（ｂ）は、それぞれ同上一実施形態におけるエルボ本体を示す側断面図及びエルボ本体の縦管部の底面図である。
【図３】（ａ）、（ｂ）は、それぞれ同上一実施形態における竪樋接続部を示す平面図及び一部切欠正面図である。
【図４】（ａ）、（ｂ）は、それぞれ別の実施形態におけるエルボ本体を示す側断面図及びエルボ本体の縦管部の底面図である。
【図５】（ａ）、（ｂ）は、それぞれさらに別の実施形態におけるエルボ本体を示す側断面図及びエルボ本体の縦管部の底面図である。
【符号の説明】
【００３７】
１    樋エルボ
２、２’、２”    エルボ本体
３    竪樋接続部
４    コーナー部
５    縦管部
６    横管部
７、１２    開口
８    上流側接続口部
９、１０    円形開口
１３    下流側接続口部
１４    嵌合突起
１５    凹溝
１６    凹設部
１８、１９、２０    整流板
１９Ａ、２０Ａ    整流板本体部
１９Ｂ、１９Ｃ、１９Ｄ、２０Ｂ、２０Ｃ、２０Ｄ    連結部
【図１】
2006090062.tif 000003
【図２】
2006090062.tif 000004
【図３】
2006090062.tif 000005
【図４】
2006090062.tif 000006
【図５】
2006090062.tif 000007